(57)【要約】【課題】  本発明は、通信機器に関する設定をネットワーク上の機器管理装置で行うことを目的とする。【解決手段】  機器管理装置およびこれとネットワークを介して通信可能な複数の通信機器を含む機器管理システムであって、第１の通信機器から受信された宛先情報および第１の通信機器に対応する第１の識別情報をアドレス情報に関連付けて記憶する。アドレス情報を宛先情報にしたがって送信し、アドレス情報を用いた第２の通信機器からのアクセスに応答して、画面情報を第２の通信機器へ送信する。画面情報にしたがって入力されたサービス関連情報を第２の通信機器から受信すると、サービス関連情報を、それを固有に特定する第２の識別情報およびアドレス情報と対応する第１の識別情報に関連付けて記憶する。そして、第１の識別情報に関連付けて記憶された第２の識別情報を第１の通信機器へ通知する。【選択図】  図４
2015049781.tif 000002
【特許請求の範囲】
【請求項１】
宛先情報および第１の通信機器に対応する第１の識別情報を前記第１の通信機器から受信する第１の受信手段と、
ネットワークを介したアクセスに用いられるアドレス情報を前記第１の識別情報に関連付けて記憶する第１の記憶手段と、
前記アドレス情報を前記宛先情報にしたがって送信する第１の送信手段と、
前記アドレス情報を用いた第２の通信機器からのアクセスに応答して、画面情報を前記第２の通信機器へ送信する第２の送信手段と、
前記画面情報にしたがって入力されたサービス関連情報を前記第２の通信機器から受信する第２の受信手段と、
前記サービス関連情報を、それを固有に特定する第２の識別情報および前記アドレス情報と対応する前記第１の識別情報に関連付けて記憶する第２の記憶手段と、
前記第１の識別情報に関連付けて記憶された前記第２の識別情報を前記第１の通信機器へ通知する通知手段を備えたことを特徴とする機器管理装置。
【請求項２】
前記アドレス情報を前記第１の識別情報ごとに生成する第１の生成手段をさらに備え、
前記第１の送信手段は、前記生成されたアドレス情報を送信することを特徴とする請求項１に記載の機器管理装置。
【請求項３】
前記第１の識別情報を生成する第２の生成手段と、
前記生成された第１の識別情報を前記第１の通信機器へ送信する第３の送信手段をさらに備え、
前記第１の受信手段は、前記第３の送信手段により送信された第１の識別情報を前記第１の通信機器から受信することを特徴とする請求項１または２に記載の機器管理装置。
【請求項４】
前記第１の受信手段はさらにパスワードを受信し、
前記第１の記憶手段はさらに前記受信されたパスワードを前記第１の識別情報に関連付けて記憶し、
パスワードを前記第２の通信機器から受信する第３の受信手段をさらに備え、
前記第２の送信手段は、前記記憶されたパスワードと前記受信されたパスワードの照合の結果に応じて、前記画面情報の送信を実行することを特徴とする請求項１乃至３のいずれか１項に記載の機器管理装置。
【請求項５】
前記第１の記憶手段はさらに前記受信された宛先情報を前記第１の識別情報に関連付けて記憶しておき、
前記第１の受信手段により前記宛先情報が受信されたとき、前記第１の受信手段により受信された前記第１の識別情報に関連付けて記憶されている宛先情報と比較する比較手段をさらに備え、
前記比較の結果が異なるとき、前記第１の受信手段は新たな第１の識別情報を第１の通信機器から受信しなおすことを特徴とする請求項１乃至４のいずれか１項に記載の機器管理装置。
【請求項６】
前記第１の記憶手段は前記第１の識別情報に関連付けて複数の宛先情報を記憶することを特徴とする請求項１乃至５のいずれか１項に記載の機器管理装置。
【請求項７】
前記アドレス情報は前記宛先情報ごとの引数を含み、
前記第１の送信手段は、前記宛先情報と対応する引数を含むアドレス情報を前記宛先情報にしたがって送信し、
前記第２の通信機器からのアクセスに用いられたアドレス情報に含まれる引数に基づき、前記引数と対応する宛先情報の利用有無を記憶する第３の記憶手段をさらに備えることを特徴とする請求項６に記載の機器管理装置。
【請求項８】
前記第１の送信手段は、前記第１の識別情報に関連付けて前記第１の記憶手段に記憶された複数の宛先情報すべてに前記アドレス情報を送信することを特徴とする請求項６または７に記載の機器管理装置。
【請求項９】
宛先情報および通信機器に対応する第１の識別情報を機器管理装置へ送信する送信手段と、
前記宛先情報は、前記第１の識別情報と対応するアドレス情報を前記機器管理装置から受信し、前記アドレス情報を用いて前記機器管理装置にアクセスしてサービス関連情報を前記機器管理装置へ送信する他の通信機器と対応し、
前記サービス関連情報を固有に特定する第２の識別情報を前記機器管理装置から受信する受信手段を備えたことを特徴とする通信機器。
【請求項１０】
前記第１の識別情報および前記宛先情報を関連付けて保存する保存手段と、
前記保存手段に保存された前記第１の識別情報に関連付けて保存された宛先情報が、前記送信手段により送信される前記宛先情報と異なるとき、新しい第１の識別情報を取得する取得手段をさらに備え、
前記送信手段は前記取得された新しい第１の識別情報を送信することを特徴とする請求項９に記載の通信機器。
【請求項１１】
前記送信手段はさらに第１のパスワードを送信し、
前記他の通信機器は
前記他の通信機器は、前記機器管理装置にアクセスするとき第２のパスワードを送信し、前記第１および２のパスワードの照合の結果に応じて、サービス関連情報の送信が許可されることを特徴とする請求項９または１０に記載の通信機器。
【請求項１２】
前記第１の識別情報および前記宛先情報を関連付けて保存する保存手段と、
前記保存手段に保存された前記第１の識別情報に関連付けて保存された宛先情報が、前記送信手段により送信される前記宛先情報と同じとき、前記送信手段は新しい第１のパスワードを送信することを特徴とする請求項１１に記載の通信機器。
【請求項１３】
機器管理装置およびネットワークを介して前記機器管理装置と通信可能な複数の通信機器を含む機器管理システムであって、
宛先情報および第１の通信機器に対応する第１の識別情報を前記第１の通信機器から受信する第１の受信手段と、
ネットワークを介したアクセスに用いられるアドレス情報を前記第１の識別情報に関連付けて記憶する第１の記憶手段と、
前記アドレス情報を前記宛先情報にしたがって送信する第１の送信手段と、
前記アドレス情報を用いた第２の通信機器からのアクセスに応答して、画面情報を前記第２の通信機器へ送信する第２の送信手段と、
前記画面情報にしたがって入力されたサービス関連情報を前記第２の通信機器から受信する第２の受信手段と、
前記サービス関連情報を、それを固有に特定する第２の識別情報および前記アドレス情報と対応する前記第１の識別情報に関連付けて記憶する第２の記憶手段と、
前記第１の識別情報に関連付けて記憶された前記第２の識別情報を前記第１の通信機器へ通知する通知手段を備えたことを特徴とする機器管理システム。
【請求項１４】
前記アドレス情報を前記第１の識別情報ごとに生成する第１の生成手段をさらに備え、
前記第１の送信手段は、前記生成されたアドレス情報を送信することを特徴とする請求項１３に記載の機器管理システム。
【請求項１５】
前記第１の識別情報を生成する第２の生成手段と、
前記生成された第１の識別情報を前記第１の通信機器へ送信する第３の送信手段をさらに備え、
前記第１の受信手段は、前記第３の送信手段により送信された第１の識別情報を前記第１の通信機器から受信することを特徴とする請求項１３または１４に記載の機器管理システム。
【請求項１６】
前記第１の受信手段はさらにパスワードを受信し、
前記第１の記憶手段はさらに前記受信されたパスワードを前記第１の識別情報に関連付けて記憶し、
パスワードを前記第２の通信機器から受信する第３の受信手段をさらに備え、
前記第２の送信手段は、前記記憶されたパスワードと前記受信されたパスワードの照合の結果に応じて、前記画面情報の送信を実行することを特徴とする請求項１３乃至１５のいずれか１項に記載の機器管理システム。
【請求項１７】
前記第１の記憶手段はさらに前記受信された宛先情報を前記第１の識別情報に関連付けて記憶しておき、
前記第１の受信手段により前記宛先情報が受信されたとき、前記第１の受信手段により受信された前記第１の識別情報に関連付けて記憶されている宛先情報と比較する比較手段をさらに備え、
前記比較の結果が異なるとき、前記第１の受信手段は新たな第１の識別情報を第１の通信機器から受信しなおすことを特徴とする請求項１３乃至１６のいずれか１項に記載の機器管理システム。
【請求項１８】
前記第１の記憶手段は前記第１の識別情報に関連付けて複数の宛先情報を記憶することを特徴とする請求項１３乃至１７のいずれか１項に記載の機器管理システム。
【請求項１９】
前記アドレス情報は前記宛先情報毎の引数を含み、
前記第１の送信手段は、前記宛先情報と対応する引数を含むアドレス情報を前記宛先情報にしたがって送信し、
前記第２の通信機器からのアクセスに用いられたアドレス情報に含まれる引数に基づき、前記引数と対応する宛先情報の利用有無を記憶する第３の記憶手段をさらに備えることを特徴とする請求項１８に記載の機器管理システム。
【請求項２０】
前記第１の送信手段は、前記第１の識別情報に関連付けて前記第１の記憶手段に記憶された複数の宛先情報すべてに前記アドレス情報を送信することを特徴とする請求項１８または１９に記載の機器管理システム。
【請求項２１】
宛先情報および第１の通信機器に対応する第１の識別情報を前記第１の通信機器から受信するステップと、
ネットワークを介したアクセスに用いられるアドレス情報を前記第１の識別情報に関連付けて記憶するステップと、
前記アドレス情報を前記宛先情報にしたがって送信するステップと、
前記アドレス情報を用いた第２の通信機器からのアクセスに応答して、画面情報を前記第２の通信機器へ送信するステップと、
前記画面情報にしたがって入力されたサービス関連情報を前記第２の通信機器から受信するステップと、
前記サービス関連情報を、それを固有に特定する第２の識別情報および前記アドレス情報と対応する前記第１の識別情報に関連付けて記憶するステップと、
前記第１の識別情報に関連付けて記憶された前記第２の識別情報を前記第１の通信機器へ通知するステップを備えたことを特徴とする機器管理装置の制御方法。
【請求項２２】
宛先情報および通信機器に対応する第１の識別情報を機器管理装置へ送信するステップと、
前記宛先情報は、前記第１の識別情報と対応するアドレス情報を前記機器管理装置から受信し、前記アドレス情報を用いて前記機器管理装置にアクセスしてサービス関連情報を前記機器管理装置へ送信する他の通信機器と対応し、
前記サービス関連情報を固有に特定する第２の識別情報を前記機器管理装置から受信するステップを備えたことを特徴とする通信機器の制御方法。
【請求項２３】
コンピュータに、請求項１乃至８の機器管理装置を実現させるためにコンピュータ実行可能なプログラム。
【請求項２４】
コンピュータに、請求項９乃至１２の通信機器を実現させるためにコンピュータ実行可能なプログラム。
【発明の詳細な説明】
【技術分野】
【０００１】
本発明は、ユーザが通信機器に関する設定をネットワーク上の機器管理装置で行うための技術に関する。
【背景技術】
【０００２】
従来、ユーザの端末がメールアドレスをサーバへ送信すると、サーバは当該メールアドレスを仮登録する。そして、サーバは登録書式を記載したメールを仮登録されたメールアドレス宛に送信する。サーバは登録書式にしたがって入力された情報をユーザの端末から受信すると、受信された情報に関連付けてメールアドレスを保存し、これにより、当該メールアドレスを正式に登録する。そして、ユーザの端末が本登録されたメールアドレスを入力すると、サーバは対応するサービスを提供することが行われている。（特許文献１参照）。
【先行技術文献】
【特許文献】
【０００３】
【特許文献１】特開平６−１９５３０７号公報
【発明の概要】
【発明が解決しようとする課題】
【０００４】
しかしながら、ユーザの端末は正式に登録されるまでに登録書式にしたがって種々の情報をあらかじめ入力しなければならず、非常に手間がかかっていた。また、種々の情報の入力が終わるまで、ユーザは通信機器を使ってサービスを利用できないという問題があった。
【０００５】
そこで、本発明は、より少ない手順で速やかに、通信機器に関する設定をネットワーク上の機器管理装置で行うことができ、通信機器が設定にしたがってネットワーク上のサービスを利用できるようにすることを目的とする。
【課題を解決するための手段】
【０００６】
上記課題を解決するために、本願に係る発明の１つは、機器管理装置およびネットワークを介して前記機器管理装置と通信可能な複数の通信機器を含む機器管理システムであって、宛先情報および第１の通信機器に対応する第１の識別情報を前記第１の通信機器から受信する第１の受信手段と、ネットワークを介したアクセスに用いられるアドレス情報を前記第１の識別情報に関連付けて記憶する第１の記憶手段と、前記アドレス情報を前記宛先情報にしたがって送信する第１の送信手段と、前記アドレス情報を用いた第２の通信機器からのアクセスに応答して、画面情報を前記第２の通信機器へ送信する第２の送信手段と、前記画面情報にしたがって入力されたサービス関連情報を前記第２の通信機器から受信する第２の受信手段と、前記サービス関連情報を、それを固有に特定する第２の識別情報および前記アドレス情報と対応する前記第１の識別情報に関連付けて記憶する第２の記憶手段と、前記第１の識別情報に関連付けて記憶された前記第２の識別情報を前記第１の通信機器へ通知する通知手段を備えたことを特徴とする。
【発明の効果】
【０００７】
本発明によれば、より少ない手順で速やかに、通信機器に関する設定をネットワーク上の機器管理装置で行うことができ、通信機器が設定にしたがってネットワーク上のサービスを利用できるようになるという効果が得られる。
【図面の簡単な説明】
【０００８】
【図１】本発明の一実施例に係る機器管理システムの構成の一例を示すブロック図である。
【図２】本発明の一実施例に係る第２の通信機器および機器管理装置を実現する情報処理装置の構成の一例を示すブロック図である。
【図３】本発明の一実施例に係る第１の通信機器を実現する撮像装置の構成の一例を示すブロック図である。
【図４】本発明の一実施例に係る第１の通信機器上で表示される画面の一例を示す図である。
【図５】本発明の一実施例に係る機器管理装置において管理されるデータの一例を示す図である。
【図６】本発明の一実施例に係る第１の通信機器および機器管理装置において実行される動作の一例を示すフローチャート図である。
【図７】本発明の一実施例に係る第１の通信機器および機器管理装置において実行される動作の一例を示すフローチャート図である。
【図８】本発明の一実施例に係る第２の通信機器および機器管理装置において実行される動作の一例を示すフローチャート図である。
【図９】本発明の一実施例に係る第１の通信機器および機器管理装置において実行される動作の一例を示すフローチャート図である。
【図１０】本発明の一実施例に係る第１の通信機器および機器管理装置において実行される動作の一例を示すフローチャート図である。
【図１１】本発明の一実施例に係る第２の通信機器および機器管理装置において実行される動作の一例を示すフローチャート図である。
【図１２】本発明の一実施例に係る第１の通信機器において実行される動作の一例を示すフローチャート図である。
【図１３】本発明の一実施例に係るメールアドレス設定画面の一例を示す図である。
【発明を実施するための形態】
【０００９】
以下に、図面を参照して、この発明の好適な実施の形態を例示的に詳しく説明する。ただし、この実施形態に記載されている構成要素はあくまで例示であり、この発明の範囲をそれらのみに限定する趣旨のものではない。
【００１０】
（第１の実施形態）
本実施形態における機器管理システムの構成の一例を図１のブロック図を参照して説明する。第１の通信機器１０１、第２の通信機器１０２はネットワーク１０４を介して機器管理装置１０３と通信可能である。本実施形態は、第１の通信機器１０１をサービスの利用者としてのユーザと連携させるために、第１の通信機器１０１および、ユーザが操作する第２の通信機器がそれぞれ機器管理装置１０３と通信する。なお、第１の通信機器については、第２の通信機器と同一のユーザが操作してもよいし、他のユーザが操作してもよい。第１の通信機器１０１や第２の通信機器１０２はＨＴＴＰ等のプロトコルを用いて機器管理装置１０３との通信を確立し、ＨＴＭＬやＸＭＬ等の言語で記述されたページ情報を取得する。ページ情報を解析し、その結果に基づき、各種データを表示する。第１の通信機器１０１および第２の通信機器１０２は、通信機能を備えた機器であれば何でもよく、例えばデジタルカメラやスマートフォン、タブレット、パーソナルコンピュータなどで実現される。機器管理装置１０３は例えば、サーバコンピュータにより実現され、単一のサーバコンピュータで実現してもよいし、必要に応じた複数のサーバコンピュータに各機能を分散して実現するようにしてもよい。以下、本実施形態では、第１の通信機器１０１がデジタルカメラ、第２の通信機器１０２がスマートフォンの場合を例に挙げて説明するが、それぞれ他の機器の場合も本実施形態を同様に実現できる。
【００１１】
本実施形態では、第１の通信機器１０１と、第２の通信機器１０２のユーザとを連携させたい場合、第２の通信機器１０２で受信可能なメールアドレスが第１の通信機器１０１に入力される。第１の通信機器１０１がメールアドレスを機器管理装置１０３に通知すると、機器管理装置１０３は設定用ＵＲＬが記述された電子メールをメールアドレス宛に送信する。設定用ＵＲＬは、第１の通信機器１０１に関する設定を行う際に、機器管理装置１０３または外部のＷｅｂサーバへのアクセスするために利用されるアドレス情報である。第２の通信機器１０２は、ユーザの操作に応じて、電子メールを表示し、記述された設定用ＵＲＬにしたがってネットワークを介して上述のＷｅｂサーバにアクセスする。ここで、最初にメールアドレスだけでなく、パスワードも第１の通信機器１０１に入力されれば、パスワードを設定用ＵＲＬに関連付けることで、パスワードを用いてＷｅｂサーバへのアクセス認証を行うことも可能になる。また、機器管理装置１０３は、設定用ＵＲＬ毎、すなわち第１の通信機器１０１とメールアドレスの組み合わせ毎に、設定用ＵＲＬと対応するＷｅｂサーバ上で設定された第１の通信機器１０１に関する設定を記憶装置２３４に記憶する。以下、本実施形態の詳細について説明する。
【００１２】
機器管理装置１０３のサーバコンピュータまたは第２の通信機器１０２のスマートフォンを構成する情報処理装置について図２のブロック図を参照して説明する。機器管理装置１０３や第２の通信機器１０２はそれぞれ単一の情報処理装置で実現してもよいし、必要に応じた複数の情報処理装置に各機能を分散して実現するようにしてもよい。複数の情報処理装置で構成される場合は、互いに通信可能なようにＬｏｃａｌ  Ａｒｅａ  Ｎｅｔｗｏｒｋ（ＬＡＮ）などで接続されている。図２において、制御部２０１及び２３１は機器管理装置１０３全体及び第２の通信機器１０２全体をそれぞれ制御し、例えばＣｅｎｔｒａｌ  Ｐｒｏｃｅｓｓｉｎｇ  Ｕｎｉｔ（ＣＰＵ）である。Ｒｅａｄ  Ｏｎｌｙ  Ｍｅｍｏｒｙ（ＲＯＭ）２０２及び２３２は変更を必要としないプログラムやパラメータを格納する。Ｒａｎｄｏｍ  Ａｃｃｅｓｓ  Ｍｅｍｏｒｙ（ＲＡＭ）２０３及び２３３は外部装置などから供給されるプログラムやデータを一時記憶する。記憶装置２０４及び２３４は例えば、機器管理装置１０３及び第２の通信機器１０２それぞれに固定して設置されたハードディスクドライブ（ＨＤＤ）である。あるいは、フラッシュメモリで構成されるソリッドステートドライブ（ＳＳＤ）、ハードディスクとフラッシュメモリを併用したハイブリッドドライブやメモリカードなどである。記憶装置２０４及び２３４はＯｐｅｒａｔｉｎｇ  Ｓｙｓｔｅｍ（ＯＳ）などのプログラムを記憶する。入力インターフェイス２０５及び２３５はユーザの操作を受け、データを入力するポインティングデバイスやキーボード、タッチパネルなどの入力装置と接続する。Ｂｉｔ  Ｍｏｖｅ  Ｕｎｉｔ（ＢＭＵ）２０６及び２３６は、例えばメモリ間（例えば、ＶＲＡＭ２０７及び２３７と他のメモリとの間）や、メモリと各Ｉ／Ｏデバイス（例えば、ネットワークインターフェイス２０９及び２３９）間のデータ転送を制御する。Ｖｉｄｅｏ  ＲＡＭ（ＶＲＡＭ）２０７及び２３７は、表示器２１１及び２４１それぞれに表示する為の画像を描画する。このＶＲＡＭ２０７及び２３７に生成した画像を、所定の規定に従って表示器２１１及び２４１に送信し、これにより表示器２１１及び２４１は画像を表示する。ネットワークインターフェイス２０９及び２３９はネットワーク１０４に接続する。システムバス２１２及び２４２は２０１〜２０９及び２３１〜２３９の各ユニットを通信可能に接続する。
【００１３】
第１の通信機器１０１のデジタルカメラを構成する撮像装置について図３のブロック図を参照して説明する。なお、第１の通信機器１０１は単一の撮像装置で実現してもよいし、必要に応じて外部の機器と接続し、各機能を分散して実現するようにしてもよい。３０１はフォーカスレンズを含む撮影レンズである。３０２は絞り機能を備えるシャッターである。３０３は光学像を電気信号に変換するＣＣＤやＣＭＯＳ素子などで構成される撮像部である。３０４はＡ／Ｄ変換器であり、Ａ／Ｄ変換器３０４は撮像部３０３から出力されるアナログ信号をデジタル信号に変換する。３０５はバリアであり、バリア３０５は撮影レンズ３０１などを覆うことにより、撮影レンズ３０１、シャッター３０２、撮像部３０３を含む撮像系の汚れや破損を防止する。３０６は画像処理部であり、画像処理部３０６はＡ／Ｄ変換器３０４からの画像データまたはメモリ制御部３０７からの画像データに対し所定の画素補間、縮小といったリサイズ処理や色変換処理を行う。また、画像処理部３０６は撮像された画像データを用いて所定の演算処理を行い、システム制御部３０８が演算結果に基づいて露光制御、測距制御を行う。Ａ／Ｄ変換器３０４から出力される画像データは、画像処理部３０６およびメモリ制御部３０７を介して、またはメモリ制御部３０７のみを介してメモリ３０９に書き込まれる。メモリ３０９は撮像部３０３によって得られＡ／Ｄ変換器３０４によりデジタルデータに変換された画像データや、表示部３１０に表示するための画像データを格納する。メモリ３０９は所定枚数の静止画像や所定時間の動画像および音声を格納するのに十分な記憶容量を備えている。また、メモリ３０９は画像表示用のメモリ（ビデオメモリ）を兼ねている。３１１はＤ／Ａ変換器であり、Ｄ／Ａ変換器３１１はメモリ３０９に格納されている画像表示用の画像データをアナログ信号に変換して表示部３１０に供給する。こうして、メモリ３０９に書き込まれた表示用の画像データはＤ／Ａ変換器３１１を介して表示部３１０により表示される。表示部３１０はＬＣＤ等の表示器上に、Ｄ／Ａ変換器３１１からのアナログ信号に応じた表示を行う。３１２は不揮発性メモリであり、不揮発性メモリ３１２は電気的に消去・記録可能なメモリであり、例えばＥＥＰＲＯＭなどが用いられる。不揮発性メモリ３１２には、システム制御部３０８の動作用の定数、後述する処理を行うプログラム等の制御プログラムなどが記憶される。３０８はシステム制御部であり、システム制御部３０８はユーザ機器１１０全体を制御する。システム制御部３０８は不揮発性メモリ３１２に記憶されたプログラムを実行することで、ユーザ機器１１０の処理を実現する。３１３はシステムメモリであり、例えばＲＡＭが用いられ、システムメモリ３１３にはシステム制御部３０８の動作用の定数、変数、不揮発性メモリ３１２から読み出したプログラムなどを展開する。３１４はモード切替スイッチである。３１５は第１シャッタースイッチである。３１６は第２シャッタースイッチである。３１７は操作部である。モード切替スイッチ３１４、第１シャッタースイッチ３１５、第２シャッタースイッチ３１６、操作部３１７はシステム制御部３０８に各種の動作指示を入力するための操作手段である。モード切替スイッチ３１４はシステム制御部３０８の動作モードを静止画記録モード、動画記録モード、再生モードなどの何れかに切り替える。第１シャッタースイッチ３１５は第１の通信機器１０１に設けられたシャッターボタンの操作途中、いわゆる半押し（撮影準備指示）でオンとなり第１シャッタースイッチ信号ＳＷ１を発生する。第２シャッタースイッチ３１６はシャッターボタンの操作完了、いわゆる全押し（撮影指示）でオンとなり、第２シャッタースイッチ信号ＳＷ２を発生する。システム制御部３０８は第２シャッタースイッチ信号ＳＷ２により撮像部３０３からの信号読み出しから記録媒体３２５に画像データを書き込むまでの一連の撮影処理の動作を開始する。操作部３１７の各操作部材は表示部３１０に表示される種々の機能アイコンが選択操作されることなどにより、場面毎に適宜機能が割り当てられ各種機能ボタンとして作用する。機能ボタンとしては、例えば確認ボタン、終了ボタン、戻るボタン、画像送りボタン、ジャンプボタン、絞込みボタン、属性変更ボタンなどがある。例えばメニューボタンが押されると各種の設定可能なメニュー画面が表示部３１０に表示される。ユーザは表示部３１０に表示されたメニュー画面と、４方向ボタンやＳＥＴボタンとを用いて直感的に各種設定を行うことができる。３１８はコントローラホイールであり、操作部３１７に含まれる回転操作可能な操作部材であり、方向ボタンと共に選択項目を指示するときなどに用いられる。システム制御部３０８はパルス信号に基づいて第１の通信機器１０１の各構成部を制御する。また、システム制御部３０８はパルス信号によってコントローラホイール３１８が回転操作された角度や、何回転したかなどを判定することができる。なお、コントローラホイール３１８は回転操作が検出できる操作部材であればどのようなものでもよい。３１９はコントローラリングであり、操作部３１７に含まれる回転操作部材であり、レンズ鏡筒周りで光軸を中心として回転する操作が可能である。例えばコントローラリング３１９を操作することで回転量（操作量）に応じた電気的なパルス信号が発生する。システム制御部３０８はパルス信号に基づいて第１の通信機器１０１の各構成部を制御する。また、操作部３１７に含まれるコントローラリング３１９の機能切替ボタンが押されると、コントローラリング３１９に割り当てる機能を変更可能なメニュー画面が表示部３１０に表示される。コントローラリング３１９およびコントローラホイール３１８は通常モード項目の選択や値の変更に用いられる。３２０は電源スイッチであり、電源スイッチ３２０は電源オン、電源オフが切り替えられる。３２１は電源制御部であり、電源制御部３２１は電池検出回路、ＤＣ−ＤＣコンバータ、通電するブロックを切り替えるスイッチ回路等により構成さる。電源制御部３２１は電池の装着の有無、電池の種類、電池残量の検出を行う。また、電源制御部３２１は検出結果およびシステム制御部３０８の指示に基づいてＤＣ−ＤＣコンバータを制御し、必要な電圧を必要な期間、記録媒体３２５を含む各構成部へ供給する。３２２は電源部であり、電源部３２２はアルカリ電池やリチウム電池等の一次電池やＮｉＣｄ電池やＮｉＭＨ電池、Ｌｉ電池等の二次電池、ＡＣアダプターなどからなる。３２３は通信部であり、通信部３２３は記録媒体３２５に記憶された画像を外部機器に送信する。３２４は記録媒体３２５とのインターフェイスであり、３２５は記録媒体であり、半導体メモリや磁気ディスクなどから構成される。３２６はネットワークＩ／Ｆであり、システム制御部３０８により制御されネットワーク１０４を介して外部の機器と通信を行う。
【００１４】
第１の通信機器１０１の表示部３１０に表示される画面について図４を参照して説明する。なお、ユーザは第１の通信機器１０１に対して、操作部３１７を操作することで選択操作を行う。操作部３１７は十字キーであってもよいし、表示部３１０上にタッチパネルを設け、それを操作するようにしてもよい。
【００１５】
第１の通信機器１０１は、ユーザによる所定の操作を受けて、図４（ａ）に示すメールアドレス入力画面４０１を表示部３１０に表示する。第１の通信機器１０１は、ユーザにより入力欄４０２にメールアドレスが入力され、ＯＫボタン４０３が選択されると、図４（ｂ）に示すパスワード入力画面４２１を表示部３１０に表示する。第１の通信機器１０１は、ユーザにより入力欄４２２にパスワードが入力され、ＯＫボタン４２３が選択されると、メールアドレスとパスワードを機器管理装置１０３へ送信する。
【００１６】
機器管理装置１０３はメールアドレスとパスワードを第１の通信機器から受信すると、設定用ＵＲＬを記載した電子メールをメールアドレス宛に送信する。機器管理装置１０３が電子メールを送信すると、第１の通信機器１０１は図４（ｃ）に示すようなメッセージ画面４３１を表示部３１０に表示する。その後、第１の通信機器１０１は図４（ｄ）に示すような完了通知画面４４１を表示部３１０に表示する。完了通知画面４４１にはアイコン４４２が表示される。
【００１７】
なお、図４（ａ）、（ｂ）においてキャンセルボタン４０４、４２４が選択されると、本処理を中止する。
【００１８】
第１の通信機器１０１および機器管理装置１０３における処理について図６のフローチャートを参照して説明する。以下、第１の通信機器１０１の動作はシステム制御部３０８が不揮発性メモリ３１２等に記憶された制御プログラムを実行し、それに従って上述の各モジュールを制御することにより実現される。また、機器管理装置１０３の動作は制御部２３１がＲＯＭ２３２や記憶装置２３４等に記憶された制御プログラムを実行し、それに従って上述の各モジュールを制御することにより実現される。後述する図７のフローチャートについても同様である。
【００１９】
第１の通信機器１０１のシステム制御部３０８は、ユーザによる所定の操作に応答して、設定の要求処理を開始する。そして、メールアドレス入力画面４０１を表示部３１０に表示し、ユーザによる入力操作に応答し、宛先情報としてメールアドレスを入力する（Ｓ６０１）。システム制御部３０８は、不揮発性メモリ３１２を参照し、管理ＩＤが保持されているか否か判定し、保持されていなければ（Ｓ６０２でＮｏ）、管理ＩＤの取得依頼を機器管理装置１０３へ送信する（Ｓ６０３）。管理ＩＤは機器管理装置１０３が第１の通信機器を固有に識別するための識別情報である。
【００２０】
機器管理装置１０３の制御部２３１は、管理ＩＤの取得依頼を第１の通信機器１０１から受信すると（Ｓ６０４）、固有の管理ＩＤを新規に生成し（Ｓ６０５）、第１の通信機器１０１へ送信する（Ｓ６０６）。
【００２１】
システム制御部３０８は、管理ＩＤを機器管理装置１０３から取得すると（Ｓ６０７）、図４（ｂ）に示すようなパスワード入力画面４２１を表示部３１０に表示し、ユーザによる入力操作に応答して、パスワードを入力する（Ｓ６０８）。システム制御部３０８は、ステップＳ６０１で入力されたメールアドレス、ステップＳ６０７で受信された管理ＩＤ、ステップＳ６０８で入力されたパスワードを機器管理装置１０３へ送信する（Ｓ６０９）。
【００２２】
制御部２３１は、メールアドレス、管理ＩＤ及びパスワードを第１の通信機器１０１から受信すると（Ｓ６１０）、一致する管理ＩＤ５０１を後述する記憶装置２３４のテーブルで検索し、無ければ、管理ＩＤと対応する固有の設定用ＵＲＬを生成する（Ｓ６１１）。そして、ステップＳ６１０で受信された管理ＩＤおよびパスワードをステップＳ６１１で生成された設定用ＵＲＬに関連付けて記憶装置２３４に保存する（Ｓ６１２）。ここで、記憶装置２３４には、管理ＩＤ５０１、設定用ＵＲＬ５０２およびパスワード５０３を関連付けた複数のレコードを含む図５（ａ）に示すようなテーブル５１０が保存される。
【００２３】
制御部２３１はステップＳ６１１で生成された設定用ＵＲＬを本文に記述した電子メールを生成し（Ｓ６１３）、ステップＳ６１０で受信されたメールアドレス宛に送信する（Ｓ６１４）。
【００２４】
ここで、システム制御部３０８はステップＳ６０７で受信された管理ＩＤとステップＳ６０９で送信されたメールアドレスを不揮発性メモリ３１２に保存する（Ｓ６１５）。ここで、不揮発性メモリ３１２には、管理ＩＤ５２１およびメールアドレス５２２を関連付けた複数のレコードを含む図５（ｂ）に示すようなテーブル５２０が保存される。
【００２５】
一方、管理ＩＤが既に不揮発性メモリ３１２に記憶されていれば（Ｓ６０２でＹｅｓ）、システム制御部３０８は、メールアドレスも不揮発性メモリ３１２に記憶されているか否か判定する（Ｓ６１６）。メールアドレスも記憶されていれば（Ｓ６１６でＹｅｓ）、システム制御部３０８はステップＳ６０１で入力されたメールアドレスが、不揮発性メモリ３１２に既に記憶されているメールアドレスと同じであるか否か判定する（Ｓ６１７）。メールアドレス同士が同じと判定されれば（Ｓ６１７でＹｅｓ）、システム制御部は、後述するパスワード変更処理を実行する。メールアドレス同士が異なれば（Ｓ６１７でＮｏ）、図４（ｅ）に示す所有者変更確認画面４６１を表示部３１０に表示し、第１の通信機器１０１のユーザを変更するか否かを、ユーザの選択操作にしたがって決定する。Ｙｅｓボタン４６２が選択されれば、変更すると決定し（Ｓ６１８でＹｅｓ）、ステップＳ６０３に進む。Ｎｏボタン４６３が選択されれば、変更しないと決定し（Ｓ６１８でＮｏ）、本処理を終了する。
【００２６】
システム制御部３０８は、図４（ｆ）に示すようなパスワード変更確認画面４７１を表示部３１０に表示し、第１の通信機器１０１と対応する設定用ＵＲＬのパスワードを変更するか否かをユーザの選択操作にしたがって決定する。Ｙｅｓボタン４７２が選択されれば、変更すると決定し（Ｓ７０１でＹｅｓ）、システム制御部３０８はユーザの入力操作にしたがい、新しいパスワードを入力する（Ｓ７０２）。システム制御部３０８は不揮発性メモリ３１２に記憶されている管理ＩＤ、メールアドレスおよびステップＳ７０２で入力された新しいパスワードを機器管理装置１０３へ送信する（Ｓ７０３）。
【００２７】
制御部２３１は、管理ＩＤ、メールアドレスおよび新しいパスワードを第１の通信機器１０１から受信すると（Ｓ７３１）、記憶装置２３４のテーブル５１０の一致する管理ＩＤ５０１のパスワード５０３を新しいパスワードに変更して保存する（Ｓ７３２）。そして、制御部２３１は管理ＩＤ５０１と対応付けられた設定用ＵＲＬ５０２を読み出し（Ｓ７３３）、ステップＳ６１３へ進む。
【００２８】
一方、Ｎｏボタン４７３が選択されれば、制御部２３１は、パスワードを変更しないと決定し（Ｓ７０１でＮｏ）、不揮発性メモリ３１２に記憶されている管理ＩＤおよびメールアドレスを機器管理装置１０３へ送信する（Ｓ７０４）。
【００２９】
制御部２３１は、管理ＩＤおよびメールアドレスを第１の通信機器１０１から受信すると（Ｓ７４１）、記憶装置２３４のテーブル５１０で管理ＩＤ５０１に対応付けて記憶された設定用ＵＲＬ５０２を読み出す（Ｓ７４２）。これにより、ユーザは、第２の通信機器１０２が以前に受信した設定用ＵＲＬを失ってしまった場合でも、再度、同じ設定用ＵＲＬを受信し直すことができる。
【００３０】
次に、第２の通信機器１０２が第１の通信機器１０１で利用するサービスの内容を機器管理装置１０３に対して設定する動作について図８を参照して説明する。
【００３１】
以下、第２の通信機器１０２の動作は制御部２０１が記憶装置２０４やＲＯＭ２０２等に記憶された制御プログラムを実行し、それに従って上述の各モジュールを制御することにより実現される。また、機器管理装置１０３の動作は制御部２３１が記憶装置２３４やＲＯＭ２３２等に記憶された制御プログラムを実行し、それに従って上述の各モジュールを制御することにより実現される。
【００３２】
ユーザの操作に応答して、第２の通信機器１０２の制御部２０１はＷｅｂブラウザを起動して設定用ＵＲＬに基づきネットワーク１０４を介して機器管理装置１０３にアクセスする（Ｓ８０１）。機器管理装置１０３の制御部２３１は、第２の通信機器１０２からのアクセスに応答して、パスワード入力画面を表示するための画面情報を第２の通信機器１０２へ送信し、パスワードを要求する（Ｓ８０２）。第２の通信機器１０２は画面情報を機器管理装置１０３から受信し、パスワード入力画面を表示器２１１に表示し、これにしたがってユーザの操作により入力されたパスワードを機器管理装置１０３へ送信する（Ｓ８０３）。機器管理装置１０３はパスワードを第２の通信機器から受信し、記憶装置２３４に記憶されたテーブル５１０を参照し、ステップＳ８０１でアクセスに用いられた設定用ＵＲＬと対応するパスワードと照合する。照合の結果、受信されたパスワードが一致すれば（Ｓ８０４でＹｅｓ）、サービス設定画面を表示するための画面情報を第２の通信機器１０２へ送信し、サービス設定情報の入力を許可する（Ｓ８０５）。制御部２０１は、サービス設定画面の画面情報を機器管理装置１０３から受信し（Ｓ８０６）、サービス設定画面を表示器２１１に表示する（Ｓ８０７）。そして、ユーザの操作に応答して、サービス設定に関連するサービス関連情報を入力し（Ｓ８０８）、機器管理装置１０３へ送信する（Ｓ８０９）。ここで、サービス関連情報は例えば、第１の通信機器１０１の画像の転送先となる他のサイトを固有に識別するための名称および、そのサイトでのアカウント情報、またはメールアドレスなどである。
【００３３】
制御部２３１は、サービス関連情報を第２の通信機器１０２から受信し（Ｓ８１０）、サービス利用ＩＤに関連付けて記憶装置２３４に記憶する（Ｓ８１１）。なお、サービス利用ＩＤはユーザのサービス関連情報を固有に特定するための識別情報であり、ステップＳ８０１のアクセスに使用された設定用ＵＲＬと対応する管理ＩＤに関連づけて記憶装置２３４に記憶される。
【００３４】
一方、照合の結果、受信されたパスワードが一致しなければ（Ｓ８０４でＮｏ）、制御部２３１はステップＳ８０２に戻り、再度、パスワードを第２の通信機器１０２に対して要求する。なお、誤ったパスワードを連続して受信した回数をカウントし、所定回数に達すれば、本処理を終了するようにしてもよい。
【００３５】
なお、サービス設定画面では、新規のサービス関連情報の入力だけでなく、既存のサービス関連情報を更新することも可能である。
【００３６】
次に、第１の通信機器１０１および機器管理装置１０３におけるサービス設定処理について図９を参照して説明する。以下、第１の通信機器１０１の動作はシステム制御部３０８が不揮発性メモリ３１２等に記憶された制御プログラムを実行し、それに従って上述の各モジュールを制御することにより実現される。また、機器管理装置１０３の動作は制御部２３１が記憶装置２３４やＲＯＭ２３２等に記憶された制御プログラムを実行し、それに従って上述の各モジュールを制御することにより実現される。
【００３７】
まず、第１の通信機器１０１のシステム制御部３０８は、図４（ｄ）の完了通知画面４４１上のアイコン４４２の選択操作に応答して、管理ＩＤを不揮発性メモリ３１２から読み出し、機器管理装置１０３へ送信する（Ｓ９０１）。機器管理装置１０３の制御部２３１は管理ＩＤを第１の通信機器１０１から受信すると（Ｓ９０２）、管理ＩＤに関連付けて記憶装置２３４に記憶されたサービス利用ＩＤを検索し（Ｓ９０３）、検索結果にしたがいサービス利用ＩＤのリストを生成する（Ｓ９０４）。制御部２３１はサービス利用ＩＤのリストを第１の通信機器１０１へ送信する（Ｓ９０５）。システム制御部３０８はサービス利用ＩＤのリストを機器管理装置１０３から受信すると（Ｓ９０６）、サービス利用ＩＤと対応するアイコンを表示部３１０に一覧表示する（Ｓ９０７）。
【００３８】
ここで、一覧表示されるアイコンはサービス利用ＩＤと対応するサービス設定の内容に応じたマークであり、例えば、第１の通信機器１０１が画像を機器管理装置１０３へアップロードする際、ユーザが選択したアイコンと対応するサービス利用ＩＤも送信する。これにより、機器管理装置１０３はサービス利用ＩＤと関連するサービス利用設定にしたがい、アップロードされた画像を他の装置へ転送したりする。
【００３９】
なお、本実施形態では、ステップＳ６０５において機器管理装置１０３が固有の管理ＩＤを生成する場合について説明した。これに限らず、機器管理装置１０３の代わりに第１の通信機器１０１が固有の管理ＩＤを生成するようにしてもよい。これにより、管理ＩＤを第１の通信機器１０１および機器管理装置１０３の間で送受信する処理を省略できる。また、第１の通信機器１０１が生成する場合、第１の通信機器１０１が固有の管理ＩＤを生成するためのルールを示す情報を取得または予め記憶しておき、それにしたがって管理ＩＤを生成する。
【００４０】
また、本実施形態では、第１の通信機器１０１がステップＳ６０９で送信したメールアドレスをＳ６１５で保持する場合について説明した。これに限らず、第１の通信機器１０１の代わりに機器管理装置１０３がステップＳ６１０で受信したメールアドレスを保持しておくようにしてもよい。この場合、機器管理装置１０３は管理ＩＤ５０１にさらにメールアドレス５３４を対応付けて格納した図５（ｃ）に示すようなテーブル５３０を記憶装置２３４に記憶する。そして、第１の通信機器１０１の代わりに機器管理装置１０３がステップＳ６１６やＳ６１７の判定処理も実行し、判定結果を第１の通信機器１０１へ送信し、判定結果にしたがって以降の処理が実行することとなる。また、ステップＳ７０３、Ｓ７３１、Ｓ７０４、Ｓ７４１において、メールアドレスを第１の通信機器１０１および機器管理装置１０３の間で送受信する処理を省略できる。一方、機器管理装置１０３はステップＳ７３３やＳ７４２でメールアドレスも記憶装置２３４から読み出すこととなる。
【００４１】
また、本実施形態では、機器管理装置１０３がステップＳ６１３においてメールを生成し、ステップＳ６１４においてメールをメールアドレス宛に送信する場合について説明した。これに限らず、機器管理装置１０３の代わりに第１の通信機器１０１がメールの生成や送信を行うようにしてもよい。この場合、第１の通信機器１０１は、ステップＳ６１１において生成された設定用ＵＲＬを機器管理装置１０３から受信し、受信された設定用ＵＲＬを本文に記述した電子メールを生成し、ステップＳ６０１で入力されたメールアドレス宛に送信することとなる。そして、ステップＳ６０９、Ｓ６１０、Ｓ７０３、Ｓ７３１、Ｓ７０４、Ｓ７４２において、メールアドレスを第１の通信機器１０１および機器管理装置１０３の間で送受信する処理を省略できる。
【００４２】
また、本実施形態では、機器管理装置１０３がステップＳ６１３においてメールを生成し、ステップＳ６１４においてメールをメールアドレス宛に送信する場合について説明した。これに限らず、設定用ＵＲＬを記載したメールが生成されたり、送信されたりすることなく、機器管理装置１０３が設定用ＵＲＬを第１の通信機器１０１へ通知するようにしてもよい。この場合、ステップＳ６１３においてメールを生成したり、ステップＳ６１４においてメールをメールアドレス宛に送信したりする処理を省略できる。また、機器管理装置１０３はステップＳ６１１で生成された設定用ＵＲＬを第１の通信機器１０１へ送信する。そして、第１の通信機器１０１は受信された設定用ＵＲＬを表示部３１０に表示する。これにより、ユーザは表示された設定用ＵＲＬに基づき、所望の機器を使って、第１の通信機器１０１に関する設定を行うためのＷｅｂサーバにアクセスする。
【００４３】
（第２の実施形態）
本実施形態では、ユーザが複数のメールアドレスを所有する場合に、１つの管理ＩＤに対して複数のメールアドレスを関連付けて設定し、管理ＩＤに関連付けられた固有の設定用ＵＲＬをこれらのメールアドレスを用いて受信できるようにする場合について説明する。なお、第１の実施形態と同様の処理については説明を省略し、本実施形態に特有の処理について詳細に説明する。
【００４４】
第１の通信機器１０１および機器管理装置１０３における処理について図１０のフローチャートを参照して説明する。以下、第１の通信機器１０１の動作はシステム制御部３０８が不揮発性メモリ３１２等に記憶された制御プログラムを実行し、それに従って上述の各モジュールを制御することにより実現される。また、機器管理装置１０３の動作は制御部２３１がＲＯＭ２３２や記憶装置２３４等に記憶された制御プログラムを実行し、それに従って上述の各モジュールを制御することにより実現される。
【００４５】
第１の通信機器１０１のシステム制御部３０８は、ユーザによる所定の操作に応答して、設定の要求処理を開始して、メールアドレス入力画面４０１を表示部３１０に表示する。そして、システム制御部３０８は上述のＳ６０１〜Ｓ６０３の処理を実行する。また、機器管理装置１０３の制御部２３１は、Ｓ６０４〜Ｓ６０６の処理を実行する。次に、システム制御部３０８はＳ６０７〜Ｓ６０９の処理を実行し、制御部２３１はＳ６１０〜Ｓ６１４の処理を実行する。
【００４６】
ここで、システム制御部３０８はステップＳ６０７で受信された管理ＩＤを不揮発性メモリ３１２に保存する（Ｓ１０１５）。
【００４７】
一方、管理ＩＤが既に不揮発性メモリ３１２に記憶されていれば（Ｓ６０２でＹｅｓ）、システム制御部３０８は、不揮発性メモリ３１２から読み出された管理ＩＤと、ステップＳ６０１で入力されたメールアドレスを機器管理装置１０３へ送信する（Ｓ１０１６）。制御部２３１は管理ＩＤとメールアドレスを第１の通信機器１０１から受信すると（Ｓ１０１７）、当該管理ＩＤとメールアドレスの組を記憶装置２３４に記憶されたテーブル５２０で検索する（Ｓ１０１８）。そして、検索結果を第１の通信機器１０１へ送信する（Ｓ１０１９）。
【００４８】
システム制御部３０８は機器管理装置１０３から受信した検索結果に基づき、ステップＳ１０１６で送信した管理ＩＤとメールアドレスの組が記憶装置２３４に既に存在するかを判定し、存在すれば設定済みと判断し（Ｓ１０２０でＹｅｓ）、Ｓ７０１へ進む。一方、存在しなければ（Ｓ１０２０でＮｏ）、未設定と判断し、図４（ｅ）に示す所有者変更確認画面４６１を表示部３１０に表示し、第１の通信機器１０１のユーザ（所有者）を変更するかを、ユーザの選択操作にしたがって決定する。Ｙｅｓボタン４６２が選択されれば、変更すると決定し（Ｓ１０２１でＹｅｓ）、ステップＳ６０３に進む。Ｎｏボタン４６３が選択されれば、変更しないと決定し（Ｓ１０２１でＮｏ）、本処理を終了する。
【００４９】
次に、第２の通信機器１０２および機器管理装置１０３における処理について図１１のフローチャートを参照して説明する。以下、第２の通信機器１０２の動作は制御部２０１が記憶装置２０４等に記憶された制御プログラムを実行し、それに従って上述の各モジュールを制御することにより実現される。また、機器管理装置１０３の動作は制御部２３１がＲＯＭ２３２や記憶装置２３４等に記憶された制御プログラムを実行し、それに従って上述の各モジュールを制御することにより実現される。
【００５０】
第２の通信機器１０２の制御部２０１は、ステップＳ６１４で送信された電子メールを機器管理装置１０３から受信する（Ｓ１１０１）。制御部２０１は電子メールに記載された設定用ＵＲＬをＷｅｂブラウザプログラム等に入力し、ネットワーク１０４を介して設定用ＵＲＬにより特定される機器管理装置１０３または外部のＷｅｂサーバにアクセスして設定変更を要求する（Ｓ１１０２）。
【００５１】
機器管理装置１０３の制御部２３１は、設定変更の要求を第２の通信機器１０２から受信すると（Ｓ１１０３）、記憶装置２３４に記憶されたテーブル５１０を検索し、アクセスに使用された設定用ＵＲＬに対応する管理ＩＤ５０１を取得する（Ｓ１１０４）。そして、パスワード入力画面を第２の通信機器へ返信する（Ｓ１１０５）。
【００５２】
制御部２０１は、パスワード入力画面を機器管理装置１０３から受信し、表示器２１１に表示し（Ｓ１１０６）、ユーザの操作に応答してパスワード入力画面に入力されたパスワードを機器管理装置１０３へ送信する（Ｓ１１０７）。
【００５３】
制御部２３１はパスワードを第２の通信機器１０２から受信し（Ｓ１１０８）、テーブル５１０に記憶されたステップＳ１１０４で取得した管理ＩＤ５０１に関連付くパスワード５０３と照合する。照合の結果、一致すれば受信されたパスワードは正しいと判定して（Ｓ１１０９でＹｅｓ）、図１３に示すメールアドレス設定画面１３０１を表示するための画面情報を第２の通信機器１０２へ送信する（Ｓ１１１０）。
【００５４】
制御部２０１は画面情報を機器管理装置１０３から受信すると（Ｓ１１１１でＹｅｓ）、設定画面を表示器２１１に表示する（Ｓ１１１２）。そして、ユーザの操作に応答して設定画面に入力された追加のメールアドレスを機器管理装置１０３へ送信する（Ｓ１１１３）。
【００５５】
制御部２３１は追加のメールアドレスを第２の通信機器１０２から受信し（Ｓ１１１４）、ステップＳ１１０４で取得した管理ＩＤ５０１に追加して関連付けてテーブル５１０に保存し（Ｓ１１１５）、本処理を終了する。
【００５６】
一方、ステップＳ１１０８で受信したパスワードと管理ＩＤ５０１に関連付けてテーブル５１０に記憶されたパスワード５０３が不一致であれば、パスワードは誤りと判定し（Ｓ１１０９でＮｏ）、エラー画面を機器管理装置１０３へ返信し（Ｓ１１１６）、本処理を終了する。そして、制御部は設定画面ではなく、エラー画面を機器管理装置１０３から受信すると（Ｓ１１１１でＮｏ）、エラー画面を表示器２１１に表示し（Ｓ１１１７）、本処理を終了する。
【００５７】
なお、本実施形態では、管理ＩＤに対してメールアドレスを追加で関連付けて保存する場合について説明した。さらに、設定画面において、ユーザにより所定の操作が行われることにより、既存のメールアドレスの変更や削除の要求を入力し、機器管理装置１０３において実行可能である。
【００５８】
また、ステップＳ６１４において受信されたメールアドレスだけでなく、管理ＩＤに関連付けて設定された他のメールアドレス宛にも電子メールを送信するようにしてもよい。
【００５９】
以上のようにして、管理ＩＤに複数のメールアドレスを関連付けて設定することができる。よって、管理ＩＤと対応する設定用ＵＲＬを記載した電子メールがユーザの所望する複数のメールアドレス宛に送信されることになり、ユーザはメールアドレスと対応する複数の機器を用いて第１の通信機器１０１に関する設定を実行することが可能になる。
【００６０】
なお、上記では機器管理装置１０３が管理ＩＤと関連付けられたメールアドレス宛に電子メールを送信する場合について説明したが、機器管理装置１０３の代わりに第１の通信機器が行うようにしてもよい。この場合について、図１２を参照して説明する。以下、第１の通信機器１０１の動作はシステム制御部３０８が不揮発性メモリ３１２等に記憶された制御プログラムを実行し、それに従って上述の各モジュールを制御することにより実現される。また、機器管理装置１０３の動作は制御部２３１がＲＯＭ２３２や記憶装置２３４等に記憶された制御プログラムを実行し、それに従って上述の各モジュールを制御することにより実現される。
【００６１】
システム制御部３０８はステップＳ６０１およびＳ６０２の処理を実行し、管理ＩＤを保持していれば（Ｓ６０２でＹｅｓ）、ステップＳ６０１で入力されたメールアドレスを不揮発性メモリ３１２に保存されているメールアドレスと比較する。メールアドレスが異なっていれば（Ｓ１２０１でＮｏ）、ユーザの操作に応答して所有者を変更するか否かを判定する（Ｓ１２０２）。所有者を変更しなければ（Ｓ１２０２でＮｏ）、ユーザの操作に応答してメールアドレスを追加するか否かを判定する（Ｓ１２０３）。メールアドレスを追加するとき（Ｓ１２０３でＹｅｓ）、ユーザの操作に応答してパスワードを入力し、機器管理装置１０３へ送信する（Ｓ１２０４）。そして、システム制御部３０８はパスワードの認証結果を機器管理装置１０３から受信し、パスワードが正しければ（Ｓ１２０５でＹｅｓ）、ステップＳ６０１で入力されたメールアドレスを不揮発性メモリ３１２に追加保存する（Ｓ１２０６）。このようにして、システム制御部３０８は１つ以上のメールアドレスをリストにして不揮発性メモリ３１２に記憶する。
【００６２】
所有者を変更するとき（Ｓ１２０２でＹｅｓ）、システム制御部３０８は、ユーザの操作に応答して入力されたパスワードとともに管理ＩＤの取得依頼を機器管理装置１０３へ送信する（Ｓ１２１１）。これに応答して、機器管理装置１０３は固有の管理ＩＤおよび固有の設定用ＵＲＬを生成し、第１の通信機器１０１へ送信する。システム制御部３０８は管理ＩＤおよび設定用ＵＲＬを機器管理装置１０３から取得し（Ｓ１２１２）、パスワードとともに不揮発性メモリ３１２に保存する（Ｓ１２１３）。システム制御部３０８は既存のメールアドレスを不揮発性メモリ３１２から消去し（Ｓ１２１４）、ステップＳ６０１で入力されたメールアドレスを新たに不揮発性メモリ３１２に保存する（Ｓ１２１５）。
【００６３】
システム制御部３０８はステップＳ１２１２で取得された設定用ＵＲＬを記載した電子メールを生成する（Ｓ１２０７）。そして、ステップＳ１２１２で取得された管理ＩＤに関連付けて不揮発性メモリ３１２に記憶された１以上のメールアドレス宛に電子メールを送信する（Ｓ１２０８）。
【００６４】
また、ステップＳ６０１で入力されたメールドレスが不揮発性メモリ３１２に保存されているメールアドレスと同じで（Ｓ１２０１でＹｅｓ）、パスワードを変更するとき（Ｓ７０１でＹｅｓ）、ユーザの操作に応答して新しいパスワードを入力する（Ｓ７０２）。そして、管理ＩＤとパスワードを機器管理装置１０３へ送信し（Ｓ７０３）、ステップＳ１２０７へ進む。なお、このステップＳ７０３ではメールアドレスは送信されない。また、パスワードを変更しないとき（Ｓ７０１でＮｏ）、ステップＳ７０４の処理は実行せずに、ステップＳ１２０７へ進む。
【００６５】
（第３の実施形態）
本実施形態では、機器管理装置１０３が１つの管理ＩＤに関連付けて複数のメールアドレスを記憶可能なとき、メールアドレス毎に利用の有無を管理する場合について図１０および図１１を参照して説明する。なお、上記の実施形態と同様の処理については説明を省略し、本実施形態に特有の処理について詳細に説明する。
【００６６】
本実施形態では、機器管理装置１０３の制御部２３１はステップＳ６１１（図１０）において設定用ＵＲＬを生成した後、ステップＳ６１０で受信されたメールアドレスと対応する引数を付加する。
【００６７】
また、制御部２３１はステップＳ１１１４において追加のメールアドレスを受信すると、追加のメールアドレスと対応する引数を設定用ＵＲＬに付加する。したがって、例えばステップＳ６１４（図１０）では、ステップＳ６１０（図１０）で受信されたメールアドレスに対して「ｈｔｔｐ：／／ｗｗｗ．ｘｘｘ．ｙｙｙ．ｚｚ／１」が記載された電子メールが送信される。また、ステップＳ１１１４で受信された追加のメールアドレスに対して「ｈｔｔｐ：／／ｗｗｗ．ｘｘｘ．ｙｙｙ．ｚｚ／２」が記載された電子メールが送信される。よって、機器管理装置１０３はステップＳ１１０３において設定変更の要求を受信したとき、アクセスに使用された設定用ＵＲＬの引数に基づき、対応するメールアドレスを特定し、当該メールアドレスの利用が有ることを示す情報をテーブル５２０に格納する。なお、テーブル５２０において、メールアドレス登録時の初期値としては、当該メールアドレスの利用がないことを示す情報が格納されている。
【００６８】
また、制御部２３１はステップＳ１１１０において、ステップＳ１１０４で取得された管理ＩＤと関連付けられたすべてのメールアドレスに関する設定を入力可能な図１３に示すような設定画面１３０１を第２の通信機器１０２へ送信する。ここで、設定画面１３０１にはメールアドレス毎に利用の有無を示す情報が表示される。また、第２の通信機器１０２は設定画面１３０１に表示されたメールアドレスの中からいずれかを選択し、選択されたメールアドレスに関する情報のテーブル５２０からの削除や、選択されたメールアドレス宛の設定用ＵＲＬの再送を機器管理装置１０３に要求する。機器管理装置１０３は第２の通信機器１０２からの要求にしたがって、指定されたメールアドレスに関する情報を記憶装置２３４から削除したり、指定されたメールアドレスと対応する設定用ＵＲＬを記載した電子メールを当該メールアドレス宛に送信したりする。
【００６９】
そして、機器管理装置１０３の制御部２３１はステップＳ１０１８において、第１の通信機器１０１から受信された管理ＩＤとメールアドレスの組をテーブル５２０で検索する。検索の結果、管理ＩＤとメールアドレスの組のレコードがあれば、メールアドレスの利用有無を示す情報も取得し、ステップＳ１０１９において検索結果に含めて第１の通信機器１０１へ送信する。
【００７０】
第１の通信機器１０１のシステム制御部３０８は機器管理装置１０３から受信した検索結果に基づき、ステップＳ１０２０において管理ＩＤとメールアドレスの組が設定済みであると判定されれば、さらにメールアドレスの利用の有無を判定する。ステップＳ６０１（図１０）で入力されたメールアドレスの利用があれば、ステップＳ７０１へ進む。一方、Ｓ６０１で入力されたメールアドレスの利用が無ければ、利用のないメールアドレスでよいか否かをユーザの操作にしたがって選択し、よければステップＳ７０１へ進み、よくなければ、本処理を終了する。また、利用のないメールアドレスでよいと選択された場合に、ステップＳ６１４（図１０）において、ステップＳ６０１（図１０）で入力されたメールアドレスだけでなく、管理ＩＤに関連付けて記憶された他のメールアドレス宛にも電子メールを送信するようにしてもよい。これにより、ユーザが電子メールを読む可能性が高まる。
【００７１】
なお、図５（ｂ）にさらに、メールアドレスが記憶された日時を関連付けて記憶しておき、当該日時が所定時間を経過していなければ、利用の有無を示す情報が利用の無いことを示しても、利用有りの場合と同様に扱うようにしてもよい。
【００７２】
また、機器管理装置１０３の制御部２３１は定期的にテーブル５２０を参照し、当該日時から所定時間を経過しても、利用がないことを示すメールアドレスに関するデータを自動的に削除するようにしてもよい。これにより、入力ミスなどにより誤って入力されたメールアドレス等が記憶されたまま残るのを防ぐことができる。
【００７３】
以上のようにして、ユーザが複数のメールアドレスを保有し、これらを機器管理装置１０３に記憶可能なとき、それぞれの利用有無を簡単に把握し、整理しやすくなる。
【００７４】
（他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００７５】
また、コンピュータが読み出したプログラムコードを実行することにより、前述した実施例の機能が実現されるだけではない。例えば、そのプログラムコードの指示に基づき、コンピュータ上で稼動しているＯＳ（オペレーションシステム）などが実際の処理の一部または全部を行い、その処理によって前述した実施例の機能が実現される場合も含まれることは言うまでもない。さらに、以下のような処理によって前述した実施形態の機能が実現される場合も含まれることは言うまでもない。まず、記憶媒体から読み出されたプログラムコードが、コンピュータに挿入された機能拡張ボードやコンピュータに接続された機能拡張ユニットに備わるメモリに書きこまれる。その後、そのプログラムコードの指示に基づき、その機能拡張ボードや機能拡張ユニットに備わるＣＰＵなどが実際の処理の一部または全部を行う。
【図１】
2015049781.tif 000003
【図２】
2015049781.tif 000004
【図３】
2015049781.tif 000005
【図４】
2015049781.tif 000006
【図５】
2015049781.tif 000007
【図６】
2015049781.tif 000008
【図７】
2015049781.tif 000009
【図１０】
2015049781.tif 000010
【図１１】
2015049781.tif 000011
【図１２】
2015049781.tif 000012
【図１３】
2015049781.tif 000013
【図８】
2015049781.tif 000014
【図９】
2015049781.tif 000015